(57)【要約】
【課題】　可圧縮膨張性を具備し、携帯が便利で、且つ、ディスクの検索及び出し入れを効率的に行うことができるディスク収納ケースを提供することを目的とする。
【解決手段】　上記課題を解決するため、収納部と、該収納部に連結される左側板、右側板と、数個のディスク収納袋で構成され、上記収納部は、可曲性板を折り曲げ形成した少なくとも１つ以上の前側板と、底板と、後側板と、蓋を有し、上記左側板、上記右側板は、連続曲折形状に形成され、それぞれの前端面、後端面は上記収納部の上記前側板、後側板のそれぞれの左側面、右側面内側に相対連結固定され、数個の上記ディスク収納袋は、上記収納部の上記前側板と上記後側板との間に間隔設置され、各上記ディスク収納袋の左端、右端は、それぞれ上記左側板、上記右側板の内側面に固定され、各上記ディスク収納袋は少なくとも一側面にディスクを挿入させる挿入溝及び挿入口を有する構成とされる。
【選択図】　図１
0003099819.tif 000002
【実用新案登録請求の範囲】
【請求項１】
　収納部と、該収納部に連結される左側板、右側板と、数個のディスク収納袋で構成され、
　上記収納部は、可曲性板を折り曲げ形成した少なくとも１つ以上の前側板と、底板と、後側板と、蓋を有し、
　上記左側板、上記右側板は、連続曲折形状に形成され、それぞれの前端面、後端面は上記収納部の上記前側板、後側板のそれぞれの左側面、右側面内側に相対連結固定され、
　数個の上記ディスク収納袋は、上記収納部の上記前側板と上記後側板との間に間隔設置され、各上記ディスク収納袋の左端、右端は、それぞれ上記左側板、上記右側板の内側面に固定され、各上記ディスク収納袋は少なくとも一側面にディスクを挿入させる挿入溝及び挿入口を有することを特徴とするディスク収納ケース。
【請求項２】
　上記ディスク収納袋は、１つのフェルト中間層の両側面周縁に熱圧結合手段により、ビニール外層を結合させた構造で、上記フェルト中間層と上記ビニール外層の上下左右の周縁は圧合線を有し、
　上記ビニール外層は、上端部分が逆凸形状に切り取られ、１つの開き口を形成することによりディスクの挿入口を有することを特徴とする請求項１記載のディスク収納ケース。
【請求項３】
　上記フェルト中間層と上記ビニール外層の左縁、右縁の上記圧合線の内側に間隔を開けて、それぞれ内圧合線を有し、
　上記左側板、上記右側板に固定設置される側の上記ビニール外層の、上記圧合線と上記内圧合線との間にそれぞれ１つの半開溝を有し、上記半開溝は上記左側板、上記右側板の内側面の曲折部位と相対する所に設けられ、
　上記ビニール外層の上記半開溝と上記圧合線との間の部分と、上記左側板、上記右側板の内側面の曲面部位とが熱圧結合手段により結合されることを特徴とする請求項２記載のディスク収納ケース。
【請求項４】
　上記フェルト中間層と上記ビニール外層の上端は、突出する索引標示プレートを有し、
　上記索引標示プレートは、上記フェルト中間層と上記ビニール外層との突出した所の周縁部分を結合させ、一枚のプレート状に形成したことを特徴とする請求項２記載のディスク収納ケース。
【請求項５】
　上記蓋は、１つの弾力性ロープを有し、
　上記弾力性ロープは上記蓋を閉じた状態のとき、上記収納部の外周に取り付けることにより、上記蓋を締めた状態で固定することを特徴とする請求項１記載のディスク収納ケース。
【請求項６】
　上記収納部の上記底板は、１つの連続曲折状板形態で、前後端面は上記収納部の前側板、上記後側板のそれぞれの底面内側に相対連結固定され、
　各上記ディスク収納袋は、底面に下向きに突出する凸伸縁を有し、上記凸伸縁は上記底板上の相対する曲折面に固定設置されることにより上記底板は前後に伸縮することを特徴とする請求項１記載のディスク収納ケース。
【考案の詳細な説明】
【技術分野】
【０００１】
　本考案はディスク収納ケースに係るものであり、特に、可圧縮膨張性を具備し、携帯が便利で、且つ、ディスクの検索及び出し入れを効率的に行うことができるディスク収納ケースに係るものである。
【背景技術】
【０００２】
　従来、複数のディスク（ＣＤ、ＶＣＤ、ＤＶＤ等）への傷や衝撃を防ぎ、携帯に便利なように収納するディスク収納ケースが存在する。従来のディスク収納ケースは、既に多種形態の製品が存在するが、大きく分類すると、外観的には硬質ケースと軟質ケースの２種類がある。また、内部形態は袋ページ形態と硬質板隔離形態の２種類がある。このようなディスク収納ケースの機能を向上させるために、研究、開発が行われ、改良が進んでいる。
【考案の開示】
【考案が解決しようとする課題】
【０００３】
　しかしながら、従来のディスク収納ケースにおいて、上記硬質ケースは内部に入れるディスクの数が少なくてもケースの体積を変えることができないため、圧縮することができず、携帯の利便性に欠けるという問題点があった。一方、軟質ケースは一般的には皮革等の材質で製成されており、圧縮できても、内部の空間を広げることはできず、且つ、圧縮時には美観を損なうという問題点があった。
【０００４】
　また、内部の袋ページ形態の構造は、ディスクを検索するスピードが遅く、所望のディスクを見付けるまでに時間がかかり、検索の機能性に欠けるという問題点があった。また、検索するときに繰り返し使用する(めくったりする)ため、折り曲げたりするところがすぐに裂損して耐用性に欠けると言う問題があった。一方、内部の硬質板隔離形態は空間を使用し過ぎで携帯には不便であることから、消費者からは敬遠されてしまうという問題点があった。
【０００５】
　本考案は、ディスク収納ケースにおいて、可圧縮膨張性を具備し、携帯が便利で、且つ、ディスクの検索及び出し入れを効率的に行うことができるディスク収納ケースを提供することを目的とする。
【課題を解決するための手段】
【０００６】
　前記の目的を図るために、本考案は、請求項１に記載されるように、収納部と、該収納部に連結される左側板、右側板と、数個のディスク収納袋で構成され、上記収納部は、可曲性板を折り曲げ形成した少なくとも１つ以上の前側板と、底板と、後側板と、蓋を有し、上記左側板、上記右側板は、連続曲折形状に形成され、それぞれの前端面、後端面は上記収納部の上記前側板、後側板のそれぞれの左側面、右側面内側に相対連結固定され、数個の上記ディスク収納袋は、上記収納部の上記前側板と上記後側板との間に間隔設置され、各上記ディスク収納袋の左端、右端は、それぞれ上記左側板、上記右側板の内側面に固定され、各上記ディスク収納袋は少なくとも一側面にディスクを挿入させる挿入溝及び挿入口を有することを特徴とする。
【０００７】
　また、前記の目的を図るために、請求項２に記載されるように、本考案は、上記ディスク収納袋は、１つのフェルト中間層の両側面周縁に熱圧結合手段により、ビニール外層を結合させた構造で、上記フェルト中間層と上記ビニール外層の上下左右の周縁は圧合線を有し、上記ビニール外層は、上端部分が逆凸形状に切り取られ、１つの開き口を形成することによりディスクの挿入口を有することを特徴とする。
【０００８】
　また、前記の目的を図るために、本考案は、請求項３に記載されるように、上記フェルト中間層と上記ビニール外層の左縁、右縁の上記圧合線の内側に間隔を開けて、それぞれ内圧合線を有し、上記左側板、上記右側板に固定設置される側の上記ビニール外層の、上記圧合線と上記内圧合線との間にそれぞれ１つの半開溝を有し、上記半開溝は上記左側板、上記右側板の内側面の曲折部位と相対する所に設けられ、上記ビニール外層の上記半開溝と上記圧合線との間の部分と、上記左側板、上記右側板の内側面の曲面部位とが熱圧結合手段により結合されることを特徴とする。
【０００９】
　また、前記の目的を図るために、本考案は、請求項４に記載されるように、上記フェルト中間層と上記ビニール外層の上端は、突出する索引標示プレートを有し、上記索引標示プレートは、上記フェルト中間層と上記ビニール外層との突出した所の周縁部分を結合させ、一枚のプレート状に形成したことを特徴とする。
【００１０】
　また、前記の目的を図るために、本考案は、請求項５に記載されるように、上記蓋は、１つの弾力性ロープを有し、上記弾力性ロープは上記蓋を閉じた状態のとき、上記収納部の外周に取り付けることにより、上記蓋を締めた状態で固定することを特徴とする。
【００１１】
　また、前記の目的を図るために、本考案は、請求項６に記載されるように、上記収納部の上記底板は、１つの連続曲折状板形態で、前後端面は上記収納部の前側板、上記後側板のそれぞれの底面内側に相対連結固定され、各上記ディスク収納袋は、底面に下向きに突出する凸伸縁を有し、上記凸伸縁は上記底板上の相対する曲折面に固定設置されることにより上記底板は前後に伸縮する特徴とする。
【考案の効果】
【００１２】
　本考案のディスク収納ケースにおいて、可圧縮膨張性を具備し、携帯が便利で、且つ、ディスクの検索及び出し入れを効率的に行うことができる。
【００１３】
　また、本考案のディスク収納ケースにおいて、左・右側板の連続曲折状の構造により、収納部の開口は拡張性を具備することができ、各ディスク収納袋の間の隙間を広げることができるため、ディスクの検索及び出し入れを効率的に行なうことができる。
【００１４】
　また、本考案のディスク収納ケースにおいて、ビニール外層の左、右縁の圧合線とその内側の上記内圧合線との間に半開溝を有する構造により、ビニール外層の両側端及び左・右側板の結合部分と、ビニール外層の中央部分とは直接に連結されていないため、ディスク収納袋が柔軟性を具備し、充分彎曲することができ、同時に、熱圧結合させる時に発生するビニール外層の中央変形の現象を防止することができ、ディスク収納ケースの品質を高上させることができる。
【００１５】
　また、本考案のディスク収納ケースにおいて、収納部の底板の連続曲折状板形態の構造により、底板は前後に広げることにより、底面積を増大させ、安定化させることができ、収納部を開いた時に、各ディスク収納袋間の距離を充分に広げることができる為、ディスクの検索及び出し入れを効率的に行なうことができる。
【考案を実施するための最良の形態】
【００１６】
　以下に添付図面を参照して本考案のある好適な実施の形態を詳細に説明するが、それらの構成は本考案の構造の絶対的な制限にならない。図１は、本考案の第１実施例に係るディスク収納ケースを開いた状態を示す斜視図である。図２は、本考案のディスク収納ケースを閉じた状態を示す斜視図である。図３は、本考案のディスク収納ケースを閉じた状態を示す側面図である。図４は、本考案のディスク収納ケースを開くときの動作を示す側面図である。図１、２、３、４において、本考案のディスク収納ケースの構造は、主に１つの収納部１０と収納部１０に連結される左・右側板２１、２２と数個のディスク収納袋３０とからなり、収納部１０は可曲性板を折り曲げ形成した少なくとも１つ以上の前側板１１と底板１２と後側板１３と蓋１４とで構成される。左・右側板２１、２２は連続曲折形状に形成されており、それぞれの前・後端面は収納部１０の前・後側板１１、１３のそれぞれの左・右側面内側に相対連結固定されている。
【００１７】
　数個のディスク収納袋３０は、収納部１０の前側板１１と後側板１３との間に間隔設置されている。各ディスク収納袋３０の左・右端はそれぞれ左・右側板２１、２２の内側面に固定され、各ディスク収納袋３０は少なくとも一側面にディスク４０を挿入させる為の挿入溝３１及び挿入口３２を有する。
【００１８】
　ディスク収納袋３０は、１つのフェルト中間層３０１の両側面周縁に熱圧結合手段（例：高周波）により、ビニール外層３０２を結合させた構造で、フェルト中間層３０１とビニール外層３０２の上下左右の周縁は圧合線Ｌ１、Ｌ２を有する。ビニール外層３０２は、上端部分が逆凸形状に切り取られ、１つの開き口を形成することにより、ディスク４０の挿入口３２を具備する。
【００１９】
　図５は、本考案のディスク収納袋の立体外観図である。図６は、本考案のディスク収納袋と左・右側板との結合部位を示す斜視図である。図７は、図６に示す結合部位の断面図である。図５、６、７が示す如く、フェルト中間層３０１とビニール外層３０２の左・右縁の圧合線Ｌ２の内側に間隔を開けて、それぞれ内圧合線Ｌ３を有する。更に、左・右側板２１、２２に固定設置される側のビニール外層３０２の、圧合線Ｌ２と内圧合線Ｌ３との間にそれぞれ１つの半開溝３３を有する。半開溝３３は左・右側板２１、２２の内側面の曲折部位Ａと相対する所に設けられている。更に、ビニール外層３０２の半開溝３３と圧合線Ｌ２との間の部分と、左・右側板２１、２２の内側面の曲面部位Ｂとが熱圧結合手段により結合される。
【００２０】
　フェルト中間層３０１とビニール外層３０２の上端は突出する索引標示プレート３４を有する。索引標示プレート３４はフェルト中間層３０１とビニール外層３０２との突出した所の周縁部分を熱圧結合させ、一枚のプレート状にしたものである。
【００２１】
　蓋１４は１つの弾力性ロープ５０を有してもよく、弾力性ロープ５０は蓋１４を閉じた状態の時、収納部１０の外周に取り付けることにより、蓋１４を締めた状態のまま固定することができる。
【００２２】
　図８は、本考案の第２実施例に係るディスク収納ケースを示す側面図である。図９は、本考案のディスク収納ケースを開くときの動作を示す側面図である。図１０は、本考案のディスク収納ケースの内部構造を示す斜視図である。図１１は、本考案のディスク収納ケースの局部構造を示す斜視図である。図１２は、本考案のディスク収納ケースを開いた状態を示す斜視図である。図８、９、１０、１１、１２に示すように、収納部１０の底板１２は、１つの連続曲折状板形態の底板１２Ｂでもよく、前後端面は収納部１０の前・後側板１１、１３のそれぞれの底面内側に相対連結固定（例：熱圧結合）される。更に、各ディスク収納袋３０は底面に下向きに突出する凸伸縁３５を有する。凸伸縁３５は底板１２Ｂ上の相対する曲折面Ｃに固定設置される。上記構造により、底板１２Ｂは前後に伸縮することができ、収納部１０を開いた時に、各ディスク収納袋３０間の距離を充分に広げることができる。
【００２３】
　従って、本考案のディスク収納ケースは、左・右側板２１、２２の連続曲折状の構造により、収納部１０は前後方向に圧縮することができるため、収納するディスク４０の数量に応じて、体積を減少させることができ、外観を損なうことなく、圧縮でき、且つ、携帯するのに便利である。
【００２４】
　また、本考案のディスク収納ケースは、左・右側板２１、２２の連続曲折状の構造により、収納部１０の開口１５は拡張性を具備することができ、各ディスク収納袋３０の間の隙間を広げることができる為、ディスク４０の検索及び出し入れを効率的に行なうことができる。
【００２５】
　また、本考案のディスク収納ケースは、ビニール外層３０２の左、右縁の圧合線Ｌ２とその内側の上記内圧合線Ｌ３との間に半開溝３３を有する構造により、ビニール外層３０２の両側端及び左・右側板２１、２２の結合部分と、ビニール外層３０２の中央部分とは直接に連結されていないため、ディスク収納袋３０が柔軟性を具備し、充分彎曲することができ、同時に、熱圧結合させる時に発生するビニール外層３０２中央変形の現象を防止することができ、ディスク収納ケースの品質を高上させることができる。
【００２６】
　また、本考案のディスク収納ケースは、収納部１０の底板１２Ｂの連続曲折状板形態（図８）の構造により、底板１２Ｂは前後に広げることにより、底面積を増大させ、安定化させることができ、又、収納部１０を開いた時に、各ディスク収納袋３０間の距離を充分に広げることができる為、ディスク４０の検索及び出し入れを効率的に行なうことができる。
【００２７】
　尚、本考案のディスク収納ケースは、上記円形のディスクだけでなく、ケースへの収納が必要なその他の記録媒体などにも適応させることができる。
【００２８】
　尚、上記本考案の実施例について、本考案の技術及び特徴を具体的に説明したものであり、これにより熟知した技術者が本考案の延長線上で修正作業を行なった場合にも本考案の権利範囲内であるものとする。
【図面の簡単な説明】
【００２９】
【図１】本考案の第１実施例に係るディスク収納ケースを開いた状態を示す斜視図である。
【図２】本考案のディスク収納ケースを閉じた状態を示す斜視図である。
【図３】本考案のディスク収納ケースを閉じた状態を示す側面図である。
【図４】本考案のディスク収納ケースを開くときの動作を示す側面図である。
【図５】本考案のディスク収納袋の立体外観図である。
【図６】本考案のディスク収納袋と左・右側板との結合部位を示す斜視図である。
【図７】図６に示す結合部位の断面図である。
【図８】本考案の第２実施例に係るディスク収納ケースを示す側面図である。
【図９】本考案のディスク収納ケースを開くときの動作を示す側面図である。
【図１０】本考案のディスク収納ケースの内部構造を示す斜視図である。
【図１１】本考案のディスク収納ケースの局部構造を示す斜視図である。
【図１２】本考案のディスク収納ケースを開いた状態を示す斜視図である。
【符号の説明】
【００３０】
　１０　　　　　　　収納部
　１１　　　　　　　前側板
　１２、１２Ｂ　　　底板
　１３　　　　　　　後側板
　１４　　　　　　　蓋
　１５　　　　　　　開口
　２１　　　　　　　左側板
　２２　　　　　　　右側板
　３０　　　　　　　ディスク収納袋
　３１　　　　　　　挿入溝
　３２　　　　　　　挿入口
　３３　　　　　　　半開溝
　３４　　　　　　　索引標示プレート
　３５　　　　　　　凸伸縁
　４０　　　　　　　ディスク
　５０　　　　　　　弾力性ロープ
　３０１　　　　　　フェルト中間層
　３０２　　　　　　ビニール外層
　Ｌ１、Ｌ２　　　　圧合線
　Ｌ３　　　　　　　内圧合線
　Ａ　　　　　　　　曲折部位
　Ｂ　　　　　　　　曲面部位
　Ｃ　　　　　　　　曲折面
【図１】
0003099819.tif 000003
【図２】
0003099819.tif 000004
【図３】
0003099819.tif 000005
【図４】
0003099819.tif 000006
【図５】
0003099819.tif 000007
【図６】
0003099819.tif 000008
【図７】
0003099819.tif 000009
【図８】
0003099819.tif 000010
【図９】
0003099819.tif 000011
【図１０】
0003099819.tif 000012
【図１１】
0003099819.tif 000013
【図１２】
0003099819.tif 000014